【手続補正書】
【提出日】平成17年10月18日(2005.10.18)
【手続補正１】
【補正対象書類名】特許請求の範囲
【補正対象項目名】全文
【補正方法】変更
【補正の内容】
【特許請求の範囲】
【請求項１】
照明手段と、この照明手段によって照明された部位を撮像する撮像手段と、この撮像手段前方の対物光学系と、少なくとも前記対物光学系の前方を覆う透明カバーとを有するカプセル型内視鏡であって、
前記対物光学系の最先端レンズをそれよりも後方のレンズ外径よりも大きい外径にし、物体側に凸となる形状に形成したことを特徴とするカプセル型内視鏡。
【請求項２】
前記対物光学系の最先端レンズを保持しているレンズ枠の先端面に対し、前記照明手段の先端面が略一致するか又はそれよりも後方となるように配置したことを特徴とする請求項1に記載のカプセル型内視鏡。
【請求項３】
前記透明カバーは、少なくとも前記対物光学系の前方を覆う略半球形状部を有し、この略半球形状部の曲率中心が前記撮像手段の中心付近の瞳位置と略一致するように配置されることを特徴とする請求項１に記載のカプセル型内視鏡。
【請求項４】
前記透明カバーは、２箇所の曲率中心を有し、この２箇所の曲率中心と略一致するように前記照明手段を配置したことを特徴とする請求項１に記載のカプセル型内視鏡。
【請求項５】
前記照明手段は、前記撮像手段の周囲を取り囲むように配置した複数の発光部を有し、
前記複数の発光部は、少なくともその一部の照明中心方向が前記撮像手段の観察中心方向と略一致するように配置されることを特徴とする請求項１に記載のカプセル型内視鏡。
【請求項６】
前記照明手段は、前記撮像手段の周囲を取り囲むように配置した複数の発光部を有し、
前記複数の発光部は、少なくともその一部の照明中心方向が前記撮像手段の観察中心方向に対して、周囲方向又は中心方向のいずれかに向けて配置されたことを特徴とする請求項１に記載のカプセル型内視鏡。
【請求項７】
照明手段と、この照明手段によって照明された部位を撮像する撮像手段と、この撮像手段前方の対物光学系と、少なくとも前記対物光学系の前方を覆う透明カバーとを有するカプセル型内視鏡であって、
前記対物光学系の最先端レンズをそれよりも後方のレンズ外径よりも大きい外径にし、
前記透明カバーは、少なくとも前記対物光学系の前方を覆う略半球形状部を有し、この略半球形状部の曲率中心が前記撮像手段の中心付近の瞳位置と略一致するように配置されることを特徴とするカプセル型内視鏡。
【請求項８】
前記照明手段は、前記撮像手段の周囲を取り囲むように配置した複数の発光部を有し、
前記複数の発光部は、少なくともその一部の照明中心方向が前記撮像手段の観察中心方向と略一致するように配置されることを特徴とする請求項７に記載のカプセル型内視鏡。
【請求項９】
前記照明手段は、前記撮像手段の周囲を取り囲むように配置した複数の発光部を有し、
前記複数の発光部は、少なくともその一部の照明中心方向が前記撮像手段の観察中心方向に対して、周囲方向又は中心方向のいずれかに向けて配置されたことを特徴とする請求項７に記載のカプセル型内視鏡。
【手続補正２】
【補正対象書類名】明細書
【補正対象項目名】０００７
【補正方法】変更
【補正の内容】
【０００７】
本発明の請求項１に記載のカプセル型内視鏡は、照明手段と、この照明手段によって照明された部位を撮像する撮像手段と、この撮像手段前方の対物光学系と、少なくとも前記対物光学系の前方を覆う透明カバーとを有するカプセル型内視鏡であって、前記対物光学系の最先端レンズをそれよりも後方のレンズ外径よりも大きい外径にし、物体側に凸となる形状に形成したことを特徴とする。
また、本発明の請求項７に記載のカプセル型内視鏡は、照明手段と、この照明手段によって照明された部位を撮像する撮像手段と、この撮像手段前方の対物光学系と、少なくとも前記対物光学系の前方を覆う透明カバーとを有するカプセル型内視鏡であって、前記対物光学系の最先端レンズをそれよりも後方のレンズ外径よりも大きい外径にし、前記透明カバーは、少なくとも前記対物光学系の前方を覆う略半球形状部を有し、この略半球形状部の曲率中心が前記撮像手段の中心付近の瞳位置と略一致するように配置されることを特徴とする
【手続補正３】
【補正対象書類名】明細書
【補正対象項目名】００３４
【補正方法】変更
【補正の内容】
【００３４】
ここで、本実施例では、最先端レンズ４１を、それよりも後方のレンズ外径よりも大きい外径にし、且つ物体側に凸となる形状に形成している。更に具体的に説明すると、最先端レンズ４１の外径Ｄ１は、第２レンズ４２の外径Ｄ２及び第３レンズ４３の外径Ｄ３に対し、Ｄ１＞Ｄ２≧Ｄ３のような関係となるように形成されている。且つ、最先端レンズ４１は、物体側に凸となるメニスカス形状に形成されており、負の屈折力を有している。
【手続補正４】
【補正対象書類名】明細書
【補正対象項目名】００４１
【補正方法】変更
【補正の内容】
【００４１】
すなわち、図６に示すように第２実施例のカプセル型内視鏡３Ｂは、透明カバー１７に対して対物光学系２３の最先端レンズ４１が一部密接するように構成している。
ここで、第２実施例は、上記第１実施例と同様に対物光学系２３の最先端レンズ４１を、それよりも後方である第２レンズ４２，第３レンズ４３のレンズ外径よりも大きい外径にし、且つ物体側に凸となる形状に形成している。
【手続補正５】
【補正対象書類名】明細書
【補正対象項目名】００５４
【補正方法】変更
【補正の内容】
【００５４】
［付記］
（付記項１）
照明手段と、この照明手段によって照明された部位を撮像する撮像手段と、この撮像手段前方の対物光学系と、少なくとも前記対物光学系の前方を覆う透明カバーとを有するカプセル型内視鏡であって、
前記対物光学系の最先端レンズをそれよりも後方のレンズ外径よりも大きい外径にし、物体側に凸となる形状に形成したことを特徴とするカプセル型内視鏡。
【手続補正６】
【補正対象書類名】明細書
【補正対象項目名】００５５
【補正方法】変更
【補正の内容】
【００５５】
（付記項２）
照明手段と、この照明手段によって照明された部位を撮像する撮像手段と、この撮像手段前方の対物光学系と、少なくとも前記対物光学系の前方を覆う透明カバーとを有するカプセル型内視鏡であって、
前記対物光学系の最先端レンズを物体側に凸となるメニスカス形状とし、負の屈折力を有するように形成したことを特徴とするカプセル型内視鏡。
【手続補正７】
【補正対象書類名】明細書
【補正対象項目名】００５６
【補正方法】変更
【補正の内容】
【００５６】
（付記項３）
前記対物光学系の最先端レンズを物体側に凸となるメニスカス形状とし、負の屈折力を有するように形成したことを特徴とする付記項１に記載のカプセル型内視鏡。
（付記項４）
前記対物光学系の最先端レンズを保持しているレンズ枠の先端面に対し、前記照明手段の先端面が略一致するか又はそれよりも後方となるように配置したことを特徴とする付記項１又は２に記載のカプセル型内視鏡。
【手続補正８】
【補正対象書類名】明細書
【補正対象項目名】００６１
【補正方法】変更
【補正の内容】
【００６１】
（付記項１２）
照明手段と、この照明手段によって照明された部位を撮像する撮像手段と、この撮像手段前方の対物光学系と、少なくとも前記対物光学系の前方を覆う透明カバーとを有するカプセル型内視鏡であって、
前記対物光学系の最先端レンズをそれよりも後方のレンズ外径よりも大きい外径にし、
前記透明カバーは、少なくとも前記対物光学系の前方を覆う略半球形状部を有し、この略半球形状部の曲率中心が前記撮像手段の中心付近の瞳位置と略一致するように配置されることを特徴とするカプセル型内視鏡。
【手続補正９】
【補正対象書類名】明細書
【補正対象項目名】００６３
【補正方法】変更
【補正の内容】
【００６３】
（付記項１４）
照明手段と、この照明手段によって照明された部位を撮像する撮像手段と、この撮像手段前方の対物光学系と、少なくとも前記対物光学系の前方を覆う透明カバーとを有するカプセル型内視鏡であって、
前記対物光学系の最先端レンズをそれよりも後方のレンズ外径よりも大きい外径にし、物体側に凸となる形状に形成し、
前記透明カバーは、２箇所の曲率中心を有し、この２箇所の曲率中心と略一致するように前記照明手段を配置した
ことを特徴とするカプセル型内視鏡。
【手続補正１０】
【補正対象書類名】明細書
【補正対象項目名】００６４
【補正方法】変更
【補正の内容】
【００６４】
（付記項１５）
前記対物光学系の最先端レンズを物体側に凸となるメニスカス形状とし、負の屈折力を有するように形成したことを特徴とする付記項１２〜１４のいずれか１つに記載のカプセル型内視鏡。
（付記項１６）
前記対物光学系の最先端レンズを保持しているレンズ枠の先端面に対し、前記照明手段の先端面が略一致するか又はそれよりも後方となるように配置したことを特徴とする付記項１２〜１４のいずれか１つに記載のカプセル型内視鏡。